(57)【特許請求の範囲】
【請求項１】
前方に棒状化粧料を保持する芯チャックを後方に付勢する第１のバネを内蔵するカートリッジと、このカートリッジを装着する装着穴を有すると共に前記第１のバネの付勢力に抗して前記芯チャックを前方に押し出す押し棒を内蔵する容器本体とを備え、前記押し棒に軸線方向に沿って設けられたラックと、このラックと噛み合うピニオンと、このピニオンと同軸に固定され、前記容器本体内に回転自在に設けられたローラーと、を備え、前記ローラーを回転させることにより、前記ピニオンと前記ラックとの噛合により前記押し棒を軸線方向に移動させるようにしたカートリッジ式棒状繰出容器において、
前記容器本体の外周面に前記押し棒のラックが露出すると共に、前記ローラーの外周面に倣って縦断面がＵ字形状となる穴部を設け、前記ローラー及び前記ピニオンの回転軸の両側面にダボを設け、前記縦断面Ｕ字形状の穴部に前記ダボを回転自在に係合する係合部を設け、前記ローラー及び前記ピニオンを前記押し棒のラックに噛合させる際に、前記容器本体の外部より前記ローラー及び前記ピニオンを前記縦断面Ｕ字形状の穴部に挿入し、前記ダボを前記係合部に係合させることを特徴とするカートリッジ式棒状繰出容器。
【請求項２】
前記容器本体内に前記押し棒を後方へ付勢する第２のバネを設け、
前記装着穴に弾性を有する抵抗体を設け、
前記カートリッジを装着したとき、前記抵抗体の形状が変形して前記押し棒に密着し前記第２のバネによる前記押し棒の後方付勢を阻止し、
前記カートリッジを前記装着穴より外したとき、前記抵抗体による前記押し棒の密着状態を解除する請求項１記載のカートリッジ式棒状繰出容器。
【請求項３】
前記抵抗体は前記カートリッジの後方内径に設けた請求項２記載のカートリッジ式棒状繰出容器。
【請求項４】
前記抵抗体はラバー製である請求項２または３記載のカートリッジ式棒状繰出容器。
【発明の詳細な説明】
【０００１】
【発明の属する技術分野】
本発明は、前方に棒状化粧料を保持する芯チャックを後方に付勢する第１のバネを内蔵するカートリッジと、このカートリッジを装着する装着穴を有すると共に前記第１のバネの付勢力に抗して前記芯チャックを前方に押し出す押し棒を内蔵する容器本体とを備えたカートリッジ式棒状繰出容器に関わり、特に棒状化粧料にアイライナー、アイブロウ、リップライナー、アイシャドウなどの棒状化粧料を用いた化粧料繰出容器に好適であるカートリッジ式棒状繰出容器に関する。
【０００２】
【従来の技術】
アイライナー、アイブロウ、リップライナー、アイシャドウなどの棒状化粧料を芯チャックに取り付け、さらに芯チャックを先筒内に組み込んでカートリッジに形成し、このカートリッジを容器本体に組み込んで所定の操作により芯チャックおよび棒状化粧料を繰り出すカートリッジ式棒状繰出容器としたものがある。
【０００３】
かかるカートリッジ式棒状繰出容器は、従来カートリッジと容器本体とを相対回転させることによって、容器本体内の押し棒を軸方向に移動させて芯チャックおよび棒状化粧料を繰り出すようにしたものであり、種々のカートリッジ式棒状繰出容器が提案されている。
【０００４】
例えば、実公平５−１３３０７号公報のカートリッジ式化粧用容器は、軸方向に沿って移動可能な駆動体（押し棒）を内蔵する操作用本体（容器本体）と、棒状化粧料を支持する支持体（芯チャック）を内蔵すると共に、上記容器本体に装着可能なカートリッジとからなり、上記棒状化粧料が上記押し棒の先端部と上記芯チャックの後端部との連携により繰り出し及び引き込み操作されるものである。そして、このカートリッジ式化粧用容器は、押し棒の基部に設けられた雄捩子と操作用本体の内面に形成された雌捩子とが螺合して押し棒が容器本体内を軸方向に作動可能に構成されている。
【０００５】
【発明が解決しようとする課題】
ところで、従来のカートリッジ式棒状繰出容器は、一般的にカートリッジを一方の手で固定し、容器本体を他方の手で把持し、相対回転によるネジ嵌合を利用し棒状化粧料を繰り出すものである。
従って、回転式のカートリッジ式棒状繰出容器は、繰出操作に両手を使用するので、手が塞がってしまい手鏡や塗布具等の化粧用具を同時に使用できないといった問題があった。
【０００６】
本発明は前記課題に鑑みてなされたものであり、片手で簡単に操作できるカートリッジ式棒状繰出容器を提供することを課題とする。
【０００７】
前記課題を解決するために、本発明のカートリッジ式棒状繰出容器は以下の手段を採用した。すなわち、本発明のカートリッジ式棒状繰出容器は、前方に棒状化粧料を保持する芯チャックを後方に付勢する第１のバネを内蔵するカートリッジと、このカートリッジを装着する装着穴を有すると共に前記第１のバネの付勢力に抗して前記芯チャックを前方に押し出す押し棒を内蔵する容器本体とを備え、前記押し棒に軸線方向に沿って設けられたラックと、このラックと噛み合うピニオンと、このピニオンと同軸に固定され、前記容器本体内に回転自在に設けられたローラーと、を備え、前記ローラーを回転させることにより、前記ピニオンと前記ラックとの噛合により前記押し棒を軸線方向に移動させるようにしたカートリッジ式棒状繰出容器において、前記容器本体の外周面に前記押し棒のラックが露出すると共に、前記ローラーの外周面に倣って縦断面がＵ字形状となる穴部を設け、前記ローラー及び前記ピニオンの回転軸の両側面にダボを設け、前記縦断面Ｕ字形状の穴部に前記ダボを回転自在に係合する係合部を設け、前記ローラー及び前記ピニオンを前記押し棒のラックに噛合させる際に、前記容器本体の外部より前記ローラー及び前記ピニオンを前記縦断面Ｕ字形状の穴部に挿入し、前記ダボを前記係合部に係合させることを特徴としている。
【０００８】
この構成によれば、カートリッジ式棒状繰出容器を片手で操作でき、所望の長さだけ棒状化粧料を繰り出し／引き込むことができる。従って、従来の回転方式のカートリッジ式繰出容器のように、一方の手でカートリッジを固定し、他方の手で本体側を回転して棒状化粧料を繰り出す方法に比して、操作が簡単であると共に片方の手が自由になるので手鏡を持って化粧を行うことが可能となる。また、ローラーとピニオンを容器本体開口穴からＵ字溝側に押し込んで嵌着させることができるので、容器本体を２つ割りに成形しておきピニオン等を内部に組み付けた後に溶着、接着するなどの組み付け手間を必要とせず、組立作業が容易である。
【００１１】
〈本発明における付加的構成〉本発明に係るカートリッジ式棒状繰出容器は、前述した必須の構成要素からなるが、その構成要素に更に以下のような構成を付加した場合であっても成立する。すなわち、前記容器本体内に前記押し棒を後方へ付勢する第２のバネを設け、前記装着穴に弾性を有する抵抗体を設け、前記カートリッジを装着したとき、前記抵抗体の形状が変形して前記押し棒に密着し前記第２のバネによる前記押し棒の後方付勢を阻止し、前記カートリッジを前記装着穴より外したとき、前記抵抗体による前記押し棒の密着状態を解除する、構成を付加する。なお、この構成の場合、前記抵抗体を前記カートリッジの後方内径に設けた構成のものも例示できる。また、前記抵抗体はラバー製が好ましい。
【００１２】
この構成によれば、カートリッジ装着時に押し棒に対し係合作動抵抗を生じさせて押し棒を初期位置に復帰させない抵抗体を設けたので、押し棒はラックピニオン機構により移動させられた位置で停止した状態を維持することができる。一方、使用者がカートリッジを交換しようとして、カートリッジを装着穴より抜き取ると、抵抗体が現状復帰して内径も通常の穴径に戻るので、係合作動抵抗は解除される。すると、押し棒は第２のバネの付勢力により後方の初期位置に戻される。このように、カートリッジの交換時、押し棒を初期位置に戻すことが可能である。また、カートリッジ側では、芯チャック及び棒状化粧料を繰り出していた押し棒が引き抜かれるので、芯チャック及び棒状化粧料も第１のバネにより後方の初期位置に戻される。
【００１３】
【発明の実施の形態】
以下、本発明の一実施の形態に係るカートリッジ式棒状繰出容器を図１〜図９に基づいて詳細に説明する。なお、この実施の形態ではカートリッジ内に棒状化粧料（アイライナー）を収納し、カートリッジと容器本体内の押し棒をラックピニオン機構で押し出すことにより、カートリッジ内の棒状化粧料を繰り出すカートリッジ式棒状化粧料繰出容器として説明する。
【００１４】
［カートリッジ式棒状化粧料繰出容器の構造］
カートリッジ式棒状化粧料繰出容器は、図１に示すように、その全体形状が筆記具の如き細長い棒状をしたものである。カートリッジ式棒状化粧料繰出容器は、先筒１内に棒状化粧料（アイライナー）Ｍを収納するカートリッジ１０と、このカートリッジ１０が組み込まれる容器本体２０と、容器本体２０の内部に組み込まれかつ芯チャック２を軸方向に押し出すラックピニオン機構３０とを備える。
【００１５】
［カートリッジ１０］
カートリッジ１０は図１に示すように、先筒１と、先筒１内に収納される棒状化粧料Ｍ、芯チャック２及び芯チャック用引きバネ４と、先筒１の後端を塞ぐ尾栓３とを備える。
【００１６】
先筒１は大径部１ａと小径部１ｂとを有し、大径部１ａはその横断面が円形をなし、かつ先端に向けて次第に細くなる先細り形状をしている。また、小径部１ｂは大径部１ａの後端に連続する円筒部のことであって、この小径部１ｂの外周面のうち後端よりの箇所には、小径部１ｂの周方向に巡らせた周凸部１ｃを形成してある。この周凸部１ｃは容器本体２０側と嵌着する場合に用いられる。
【００１７】
また、先筒１はその長手方向に貫通穴１ｄを大径部１ａと小径部１ｂとを通じて有する。この貫通穴１ｄは先端側にあって棒状化粧料Ｍのみ通過可能として棒状化粧料Ｍを繰り出す際に用いる繰出用穴部５１と、繰出用穴部５１に隣接し芯チャック２を収納かつ摺動可能な芯チャック用穴部５２と、後端側にあって尾栓３を挿入する尾栓用穴部５３と、から構成される。
【００１８】
芯チャック用穴部５２はその先端の一定距離を除き、長手方向に沿って相互に対向する一対の長溝５４を有する。
尾栓用穴部５３は、図３に示すように、小径穴５３ａと大径穴５３ｂからなる段付穴であり、小径穴５３ａの内周面のうち大径穴５３ｂよりの箇所には、小径穴５３ａの周方向に巡らせた周凸部５３ｃを形成してある。この周凸部５３ｃは尾栓３と嵌着する場合に用いられる。
【００１９】
尾栓３は一端に鍔部３ａを設けた円筒軸部３ｂで形成され、円筒軸部３ｂが尾栓用穴部５３に挿入されて先筒１の後端開口を塞いでいる。
円筒軸部３ｂには、ほぼ中間位置に環状凹部３ｃが形成され、尾栓３挿入の際環状凹部３ｃが周凸部５３ｃと係合する。また、円筒軸部３ｂの先端部には、円筒軸部３ｂより小径な小径部３ｄが形成されている。
【００２０】
芯チャック２は、図１に示すように、棒状化粧料Ｍを把持する把持部２ａと、この把持部２ａの後端に連続し、かつ把持部２ａよりも小径な当接軸部２ｂとからなる。この当接軸部２ｂには押し棒３１が当接する。
【００２１】
把持部２ａはその外周面に一対の突起２ｃを有する。この突起２ｃは先筒１の長溝５４に摺動自在に係合し、これにより先筒１の芯チャック用穴部５２に沿って芯チャック２を案内する。よって、先筒１の長溝５４は、芯チャック２を芯チャック用穴部５２に沿って案内する案内溝であり、芯チャック２の突起２ｃは案内片といえる。
【００２２】
当接軸部２ｂはその外面のうち把持部２ａ寄りの箇所に周方向に突出する節条部２ｄを有する。この節条部２ｄには芯チャック用引きバネ（第１のバネ）４の一端が係止される。
【００２３】
芯チャック用引きバネ４は一端に小径部４ａを有し、他端に大径部４ｂを有するコイルバネである。小径部４ａと大径部４ｂとを繋ぐ中間部分のコイル径は芯チャック２の当接軸部２ｂの外周面および押し棒２５の外周面に巻回可能に形成されている。また大径部４ｂのコイル径は尾栓３の外周面に巻回可能に形成されている。
【００２４】
芯チャック用引きバネ４の小径部４ａは芯チャック２の節条部２ｄに係止される。また大径部４ｂは、尾栓３で芯チャック用穴部５２を塞ぐときに尾栓３の小径部３ｃと尾栓用穴部５３の小径穴５３ａとの間で挟持される。そして、芯チャック用引きバネ４は、押し棒２５により芯チャック２が芯チャック用穴部５２内を軸方向先端側に移動したときに、これを軸方向後端側へ向けて付勢して引き戻す。
以上、先筒１にこのような構成部材を備えてなるものがカートリッジ１０である。
【００２５】
［容器本体２０］
容器本体２０は、筒部材２１と、この筒部材２１の先端に嵌着された嵌着部材２２と、嵌着部材２２内に配置されカートリッジ１０の後端部と係合する抵抗体２３と、筒部材２１の後部内に収納される化粧用具２４と、化粧用具２４を軸方向前後に移動させるスライダ２５と、を備える。
【００２６】
筒部材２１は円筒形状に形成され、円筒内は嵌着部材２２を嵌入するための先端開口部２１ａと、押し棒３１を軸方向摺動自在に収納する押し棒収納部２１ｂと、化粧用具２４を導入するための後端開口部２１ｃとに分かれる。
【００２７】
嵌着部材２２は、図６に示すように、外形が大径部２２ａと小径部２２ｂを連結した段付円筒形状をなし、大径部２２ａ側にはカートリッジ１０を装着する装着穴２２ｃを有し、この装着穴２２ｃの中程の内周面に沿って周凹部２２ｄを有する。そして、カートリッジ１０装着時に、この周凹部２２ｄと先筒１の周凸部１ｃとが係合する。また小径部２２ｂ側には押し棒３１を挿入する挿入穴２２ｅを有する。更に小径部２２ｂの外周面の一部には縦断面形状がＵ字状の円弧となるＵ字溝２２ｆが穿設されている。このＵ字溝２２ｆにはラックピニオン機構３０のピニオン側が装着される。更にまた大径部２２ａの先端側外周面には周方向に沿って環状凹部２２ｇが穿設されている。更にまた小径部２２ｂの外周面には、軸方向に沿って１本の溝２２ｈが穿設されている。この溝２２ｈの向きはＵ字溝２２ｆと１８０°反対向きである（図４参照）。
【００２８】
筒部材２１の先端開口部２１ａは図１に示すように、先端より所定距離離れた内周面に環状凸部２１ｄを有する。また押し棒収納部２１ｂの穴径は嵌着部材２２の大径部２２ａより小さくかつ小径部２２ｂの外径よりやや大きめに形成されている。更に押し棒収納部２１ｂには、軸方向に沿って１本の凸条２１ｅが形成されている。そして、嵌着部材２２を小径部２２ｂより先端開口部２１ａに嵌入した時、押し棒収納部２１ｂの凸条２１ｅと小径部２２ｂの溝２２ｈとが摺動自在に係合し、これによって、小径部２２ｂが凸条２１ｅに案内されて押し棒収納部２１ｂに挿入される。またこの時、先端開口部２１ａでは環状凸部２１ｄが環状凹部２２ｇに係合する。
【００２９】
また、筒部材２１の外周面には、押し棒収納部２１ｂに挿入された小径部２２ｂのＵ字溝２２ｆの平面形状とほぼ同一の穴２１ｆが穿設され、外部より穴２１ｆを介してラックピニオン機構３０がＵ字溝２２ｆに装着可能になっている。なお、穴２１ｆと押し棒収納部２１ｂの内周面との交差部には、図４に示すように、軸方向のみ突条２１ｇ，２１ｇが形成されている。そして、突条２１ｇ，２１ｇ間の幅寸法はＷａに設定されている。
【００３０】
押し棒収納部２１ｂと後端開口部２１ｃとの境には周方向に沿って突状となる仕切２１ｈが設けられている。また筒部材２１の外周面には、後端開口部２１ｃの上面において軸方向が長穴となるスライド溝２１ｉが穿設されている。
【００３１】
抵抗体２３は、図１に示すように、円筒形状に形成され、弾性を有し摩擦抵抗の大きいラバー（合成ゴム）を材質としている。抵抗体２３の筒内径は押し棒３１の小径軸部３１ａの軸径と同じかやや大きく形成されている。また抵抗体２３は一側面に筒穴に沿って突出した周突部２３ａを有している。抵抗体２３はこの周突部２３ａをカートリッジ１０側に向けた状態で嵌着部材２２の装着穴２２ｃに嵌入されている。
【００３２】
化粧用具２４は化粧料Ｍを塗布するために使用する筆であり、先端に筆部２４ａが、後端に筆部２４ａを把持する把持部２４ｂが形成されている。把持部２４ｂ外周面にはスライダ２５と係合する係合穴２４ｃが設けられている。
【００３３】
スライダ２５は板状に形成された操作部２５ａと、操作部２５ａに連続した円柱状の軸部２５ｂと、軸部２５ｂに連続し化粧用具２４と係合する係合部２５ｃとを備える。
【００３４】
操作部２５ａはスライド溝２１ｉより幅広に形成され、筒部材２１の外周面上に配置される。軸部２５ｂは軸径がスライド溝２１ｉの溝幅より小さく形成され、スライド溝２１ｉ内に配置される。係合部２５ｃは断面形状がくさび形状でかつ２つ割りの部材で構成されている。
【００３５】
そして、係合部２５ｃはスライド溝２１ｉから把持部２４ｂの係合穴２４ｃに挿入されることでスライダ２５と化粧用具２４を筒部材２１を挟んで係合する。スライダ２５と化粧用具２４が係合されると、化粧用具２４は操作部２５ａの往復動に同期してスライド溝２１ｉに沿って後端開口部２１ｃ内を往復動する（図２参照）。
【００３６】
［ラックピニオン機構３０］
ラックピニオン機構３０は、ラック３１ｃを有する押し棒３１と、ラック３１ｃに噛合するピニオン３２と、ピニオン３２に回転動を与えるローラー３３とを備える。
【００３７】
押し棒３１は図７に示すように、棒状の小径軸部３１ａと、小径軸部３１ａに連設し小径軸部３１ａより大径の鍔部３１ｂとから構成される。小径軸部３１ａには、両端の所定距離を除きラック３１ｃが穿設されている。鍔部３１ｂの外周部には、押し棒収納部２１ｂの凸条２１ｅと係合可能な溝３１ｄが１箇所穿設されている。なお、溝３１ｄの穿設向きは小径軸部３１ａのラック３１ｃ面と１８０°反対向きになる。
【００３８】
そして、押し棒３１は凸条２１ｅと溝３１ｄとを係合して押し棒収納部２１ｂに収納されることで、押し棒収納部２１ｂ内を回転不能（すなわちラック３１ｃ面が常に筒部材２１の穴２１ｆを向いた状態）で軸方向摺動自在となる。
【００３９】
また小径軸部３１ａは嵌着部材２２の挿入穴２２ｅに挿入される。なお、押し棒収納部２１ｂ内において、嵌着部材２２後端面と鍔部３１ｂの前面との間には、押し棒用戻しバネ（第２のバネ）３４が配置され、押し棒３１を常に容器本体２０後方へ付勢している。押し棒用戻しバネ３４はコイルばねである。
【００４０】
ピニオン３２は図５に示すように、歯部３２ａとこの歯部３２ａの両端に連続する係合軸部３２ｂ，３２ｂとから構成される。係合軸部３２ｂ，３２ｂは軸周面に向かい合う平行面部を有し、軸端部には両端共球面状のダボ３２ｃ，３２ｃを有している（図４参照）。そして、ダボ３２ｃ，３２ｃ間の幅寸法Ｗｂは筒部材２１の穴２１ｆの幅寸法Ｗｂとほぼ同じであるが、突条２１ｇ，２１ｇ間の幅寸法Ｗａよりやや大きく（Ｗａ＞Ｗｂ）なっている。
【００４１】
ローラー３３，３３は図５に示すように、１対の円盤形状をなし、円盤の中心部には係合軸部３２ｂの断面形状と同一の係合穴３３ａが穿設されている。そして、この係合穴３３ａに係合軸部３２ｂが挿入され、ローラー３３，３３とピニオン３２は一体的に組み付けられる。
【００４２】
［ラックピニオン機構３０の組み付け手順］
次に、ラックピニオン機構３０の組み付け手順を説明する。なお、筒部材２１の押し棒収納部２１ｂには押し棒用戻しバネ３４に付勢された押し棒３１が収納されている。また先端開口部２１ａには嵌合部材２２が嵌挿固定されて、嵌合部材２２の挿入穴２２ｅには押し棒３１の小径軸部３１ａが挿入されているものとする。
【００４３】
まず、ピニオン３２の係合軸部３２ｂ，３２ｂをローラー３３，３３の係合穴３３ａ，３３ａに両側とも差し込み、歯部３２ａをローラー３３，３３で両側より挟み込む状態で組み付ける（図５参照）。これにより、ローラー３３，３３の回転がピニオン３２に伝達可能になる。
【００４４】
次に組み付けたローラー３３，３３とピニオン３２を筒部材２１の穴２１ｆに嵌入する。なお、嵌入の際、ダボ３２ｃ，３２ｃ間の幅寸法Ｗｂが突条２１ｇ，２１ｇ間の幅寸法Ｗａよりやや大きく（Ｗａ＞Ｗｂ）なっているので、ダボ３２ｃ，３２ｃの球面を利用して穴２１ｆからＵ字溝２２ｆ側に押し込み、突条２１ｇ，２１ｇを乗り越えるようにする。すると、Ｕ字溝２２ｆ側に押し込まれたピニオン３２の歯部３２ａは押し棒３１のラック３１ｃと噛合する。また押し込まれたローラー３３，３３とピニオン３２は強い力で引き出さないかぎり、Ｕ字溝２２ｆ側より外部に出ることはなくなる。
【００４５】
［カートリッジ式棒状化粧料繰出容器の作用］
次に、カートリッジ式棒状化粧料繰出容器の作用を説明する。
まず、カートリッジ１０を容器本体２０に装着する場合の動作を説明する。
すなわち、使用者がカートリッジ１０側の小径部１ｂを嵌合部材２２の装着穴２２ｃより挿入していくと、先筒１の周凸部１ｃと嵌着部材２２の周凹部２２ｄが係合し装着が終了する。この時、図１に示すように、カートリッジ１０側の尾栓３が抵抗体２３の周突部２３ａと当接し、周突部２３ａが押しつぶされることで、抵抗体２３の筒内径が小さくなる。そして、抵抗体２３の筒内周面が押し棒３１の小径軸部３１ａに係合し、係合作動抵抗を発生させる。なお、この係合作動抵抗が押し棒用戻しバネ３４の付勢力より大きくなるように、周突部２３ａの大きさや抵抗体２３の内周径は設計されている。
【００４６】
この実施の形態によれば、カートリッジ１０が装着されると、押し棒３１はラックピニオン機構３０により移動させられた位置で前記係合作動抵抗により停止した状態となる。また抵抗体２３は周突部２３ａが押しつぶされたことで生じる反力により、カートリッジ１０を嵌着部材２２の先端側に付勢し、周凹部２２ｄと先筒１の周凸部１ｃとを確実に係合する。
【００４７】
次に、カートリッジ１０を嵌合部材２２の装着穴２２ｃより抜き取る場合の動作を説明する。
すなわち、使用者がカートリッジ１０を交換しようとして引き抜くと、周凹部２２ｄと先筒１の周凸部１ｃとの外れ、図８に示すように、抵抗体２３の周突部２３ａが現状復帰して筒内径も通常の穴径に戻るので、係合作動抵抗は解除される。すると、押し棒３１は押し棒用戻しバネ３４の付勢力により後方の初期位置に戻される。
【００４８】
この実施の形態によれば、カートリッジ１０の交換時、押し棒３１を初期位置に戻すことが可能である。一方、カートリッジ１０側では、芯チャック２及び棒状化粧料Ｍを繰り出していた押し棒３２が引き抜かれるので、芯チャック２及び棒状化粧料Ｍもカートリッジ用引きバネ４により後方の初期位置に戻される。
【００４９】
次に、棒状化粧料Ｍを繰り出し／引き込む場合の動作を説明する。
すなわち、使用者は容器本体２０を片手で握り親指でローラー３３を回転する。すると、図９に示すように、ローラー３３に一体的に係合したピニオン３２が回転し、歯部３２ａがラック３１ｃを介して押し棒３１を軸方向に移動させる。そして、押し棒３１が先端方向に移動すると、カートリッジ１０内部の芯チャック２及び化粧料Ｍがカートリッジ用引きバネ４の付勢力に抗して繰り出す。反対に、押し棒３１が後端方向に移動すると、カートリッジ用引きバネ４の付勢力により芯チャック２及び化粧料Ｍが後端方向に引き戻される。
【００５０】
この実施の形態によれば、カートリッジ式繰出容器は片手で棒状化粧料Ｍの繰出量を操作することができる。従って、従来の回転方式のカートリッジ式繰出容器のように、一方の手でカートリッジを固定し、他方の手で本体側を回転して棒状化粧料を繰り出す方法に比して、操作が簡単であると共に片方の手が自由になるので手鏡を持って化粧を行うことが可能となる。
【００５１】
次に、ラックピニオン機構３０を容器本体２０側に組み付ける場合は、前述の通り押し込み、外部よりピニオン側をＵ字溝２２ｆ側に嵌入する。
【００５２】
この実施の形態によれば、ローラー３３，３３とピニオン３２を筒部材２１の穴２１ｆからＵ字溝２２ｆ側に押し込んで嵌着させることができるので、容器本体を２つ割りに成形しておきピニオン等を内部に組み付けた後に溶着、接着するなどの組み付け手間を必要とせず、組立作業が容易である。
【００５３】
なお、この実施の形態では、抵抗体２３の形状を周突部２３ａを有する円盤形状としたが、抵抗体はカートリッジ装着時に押し棒に対し係合作動抵抗を生じさせて押し棒を初期位置に復帰させない形態のものであればよい。例えば、別の実施の形態として、図１０に示すように、抵抗体としてＯリング２６を用いてもよい。すなわち、尾栓６の内周面にＯリング用溝６ａを穿設し、このＯリング用溝６ａにＯリング２６を嵌入する。そして、カートリッジ装着時、押し棒３１の外周面にＯリング２６の内周面を係合させ、その係合部の面圧により係合作動抵抗を生じさせる。そして、この係合作動抵抗により押し棒戻しバネ３４に抗して押し棒３１を初期位置に復帰させずに停止状態にする。
【００５４】
また、棒状化粧料Ｍとしては、上記実施の形態のアイライナーの他、従来より用いられている化粧料、例えばアイブロウ、リップライナー、アイシャドウ等を収納してもよい。
【００５５】
【発明の効果】
以上本発明によれば、カートリッジ式繰出容器を片手で操作でき、所望の長さだけ棒状化粧料を繰り出し／引き込むことができる。従って、従来の回転方式のカートリッジ式繰出容器のように、一方の手でカートリッジを固定し、他方の手で本体側を回転して棒状化粧料を繰り出す方法に比して、操作が簡単であると共に片方の手が自由になるので手鏡を持って化粧を行うことが可能となる。
【図面の簡単な説明】
【図１】本発明の実施の形態にかかるカートリッジ式棒状繰出容器の縦断面図である。
【図２】本発明の実施の形態の平面図であり、化粧用具を容器本体より繰り出した状態を示す。
【図３】図１の要部拡大図であり、カートリッジ後端部およびラックピニオン機構を示す。
【図４】図１のＡ−Ａ断面図である。
【図５】ローラーおよびピニオンの斜視図である。
【図６】嵌着部材の斜視図である。
【図７】押し棒の斜視図である。
【図８】本発明の実施の形態の外形図であり、容器本体よりカートリッジを分離した状態を示す。
【図９】本発明の実施の形態の縦断面図であり、棒状化粧料および化粧用具を繰り出した状態を示す。
【図１０】本発明の別の実施の形態の要部拡大図である。
【符号の説明】
１…先筒                    １ａ…大径部
１ｂ…小径部                  １ｃ…周凸部
１ｄ…貫通穴
２…芯チャック              ２ａ…把持部
２ｂ…当接軸部                ２ｃ…突起
２ｄ…節条部
３…尾栓                    ３ａ…鍔部
３ｂ…円筒軸部                ３ｃ…環状凹部
３ｄ…小径部
４…芯チャック用引きバネ（第１のバネ）
４ａ…小径部                  ４ｂ…大径部
１０…カートリッジ
２０…容器本体
２１…筒部材                  ２１ａ…先端開口部
２１ｂ…押し棒収納部          ２１ｃ…後端開口部
２１ｄ…環状凸部              ２１ｅ…凸条
２１ｆ…穴                    ２１ｇ…突条
２１ｈ…仕切                  ２１ｉ…スライド溝
２２…嵌着部材                ２２ａ…大径部
２２ｂ…小径部                ２２ｃ…装着穴
２２ｄ…周凹部                ２２ｅ…挿入穴
２２ｆ…Ｕ字溝                ２２ｇ…環状凹部
２２ｈ…溝
２３…抵抗体                  ２３ａ…周突部
２４…化粧用具                ２４ａ…筆部
２４ｂ…把持部                ２４ｃ…係合穴
２５…スライダ                ２５ａ…操作部
２５ｂ…軸部                  ２５ｃ…係合部
３０…ラックピニオン機構
３１…押し棒                  ３１ａ…小径軸部
３１ｂ…鍔部                  ３１ｃ…ラック
３１ｄ…溝
３２…ピニオン                ３２ａ…歯部
３２ｂ…係合軸部              ３２ｃ…ダボ
３３…ローラー                ３３ａ…係合穴
３４…押し棒用戻しバネ（第２のバネ）
５１…繰出用穴部              ５２…芯チャック用穴部
５３…尾栓用穴部              ５３ａ…小径穴
５３ｂ…大径穴                ５３ｃ…周凹部
Ｍ…棒状化粧料
【図１】
0004371523.tif 000002
【図２】
0004371523.tif 000003
【図３】
0004371523.tif 000004
【図４】
0004371523.tif 000005
【図５】
0004371523.tif 000006
【図６】
0004371523.tif 000007
【図７】
0004371523.tif 000008
【図８】
0004371523.tif 000009
【図９】
0004371523.tif 000010
【図１０】
0004371523.tif 000011